(57)【要約】【課題】採取した証拠の情報を正確かつ確実に保存することができる証拠採取保存用セットを提供すること。【解決手段】本発明の証拠採取保存用セット１００は、基材１、粘着剤層２、および、粘着剤層２の基材１に対向する面とは反対の面側に設けられ、粘着剤層２を保護する剥離ライナー３を有する証拠採取用シート１０と、証拠品２００が採取された状態の証拠採取用シート１０において、粘着剤層２と剥離ライナー３との間に挟持して用いられるラベル４とを備える。【選択図】図４
2018169279.tif 000002
【特許請求の範囲】
【請求項１】
基材、粘着剤層、および、前記粘着剤層の前記基材に対向する面とは反対の面側に設けられ、前記粘着剤層を保護する剥離ライナーを有する証拠採取用シートと、
証拠が採取された状態の前記証拠採取用シートにおいて、前記粘着剤層と前記剥離ライナーとの間に挟持して用いられるラベルとを備えることを特徴とする証拠採取保存用セット。
【請求項２】
前記ラベルは、前記証拠採取用シートに連結して設けられている請求項１に記載の証拠採取保存用セット。
【請求項３】
前記ラベルは、前記証拠採取用シートから分離可能に構成されている請求項２に記載の証拠採取保存用セット。
【請求項４】
前記ラベルは、前記剥離ライナーに連結して設けられている請求項２または３に記載の証拠採取保存用セット。
【請求項５】
前記粘着剤層は、紫外線硬化性材料を有している請求項１ないし４のいずれか１項に記載の証拠採取保存用セット。
【発明の詳細な説明】
【技術分野】
【０００１】
本発明は、証拠採取保存用セットに関する。
【背景技術】
【０００２】
犯罪鑑識等における髪の毛や皮膚片等の微細な証拠品の採取には、例えば、鑑識用粘着シートが用いられている（例えば、特許文献１参照）。
【０００３】
特許文献１に記載されている鑑識用粘着シートは、特定の成分を含むアクリル系粘着剤組成物からなる層に光を照射して架橋させて形成された粘着剤層を有するものである。特許文献１に記載されている鑑識用粘着シートによれば、粘着剤層により証拠品を粘着させて採取し、その状態で粘着剤層に台紙を貼着して証拠品を保存することができる。また、台紙に直接、証拠品の情報（例えば、日時や採取場所等）を記入する。
【０００４】
しかしながら、特許文献１に開示されている鑑識用粘着シートでは、記入した証拠品の情報が、摩擦等により消えてしまうことが考えられる。この場合、証拠品の情報が分からなくなってしまったり、情報を改竄されたりする可能性が有る。
【先行技術文献】
【特許文献】
【０００５】
【特許文献１】特開２００８−３０８５２２号公報
【発明の概要】
【発明が解決しようとする課題】
【０００６】
本発明の目的は、採取した証拠の情報を正確かつ確実に保存することができる証拠採取保存用セットを提供することにある。
【課題を解決するための手段】
【０００７】
このような目的は、下記（１）〜（５）に記載の本発明により達成される。
（１）  基材、粘着剤層、および、前記粘着剤層の前記基材に対向する面とは反対の面側に設けられ、前記粘着剤層を保護する剥離ライナーを有する証拠採取用シートと、
証拠が採取された状態の前記証拠採取用シートにおいて、前記粘着剤層と前記剥離ライナーとの間に挟持して用いられるラベルとを備えることを特徴とする証拠採取保存用セット。
【０００８】
（２）  前記ラベルは、前記証拠採取用シートに連結して設けられている上記（１）に記載の証拠採取保存用セット。
【０００９】
（３）  前記ラベルは、前記証拠採取用シートから分離可能に構成されている上記（２）に記載の証拠採取保存用セット。
【００１０】
（４）  前記ラベルは、前記剥離ライナーに連結して設けられている上記（２）または（３）に記載の証拠採取保存用セット。
【００１１】
（５）  前記粘着剤層は、紫外線硬化性材料を有している上記（１）ないし（４）のいずれかに記載の証拠採取保存用セット。
【発明の効果】
【００１２】
本発明によれば、採取した証拠の情報をラベルに記入し、そのラベルを粘着剤層と剥離ライナーとの間に挟持した状態で保管することができる。これにより、ラベルに記入した情報が摩擦などにより消えてしまったり、改竄されたりするのを防止することができる。よって、証拠品の情報を正確かつ確実に保存することができる証拠採取保存用セットを提供することができる。
【図面の簡単な説明】
【００１３】
【図１】本発明の証拠採取保存用セットの第１実施形態を示す模式的な縦断面図であって、未使用状態を示す図である。
【図２】図１に示す証拠採取保存用セットを示す模式的な縦断面図であって、証拠を採取している状態を示す図である。
【図３】図１に示す証拠採取保存用セットを示す模式的な縦断面図であって、ラベルを離脱させた状態を示す図である。
【図４】図１に示す証拠採取保存用セットを示す模式的な縦断面図であって、保存状態を示す図である。
【図５】図１に示す証拠採取保存用セットが備えるラベルの平面図である。
【図６】本発明の証拠採取保存用セットの第２実施形態を示す模式的な縦断面図であって、未使用状態を示す図である。
【図７】本発明の証拠採取保存用セットの第３実施形態を示す模式的な縦断面図であって、未使用状態を示す図である。
【発明を実施するための形態】
【００１４】
以下、本発明の好適な実施形態について詳細に説明する。
［証拠採取保存用セット］
図１は、本発明の証拠採取保存用セットの第１実施形態を示す模式的な縦断面図であって、未使用状態を示す図である。図２は、図１に示す証拠採取保存用セットを示す模式的な縦断面図であって、証拠を採取している状態を示す図である。図３は、図１に示す証拠採取保存用セットを示す模式的な縦断面図であって、ラベルを離脱させた状態を示す図である。図４は、図１に示す証拠採取保存用セットを示す模式的な縦断面図であって、保存状態を示す図である。図５は、図１に示す証拠採取保存用セットが備えるラベルの平面図である。
【００１５】
図１に示すように、本実施形態の証拠採取保存用セット１００は、基材１、粘着剤層２、および、粘着剤層２の基材１に対向する面とは反対の面側に設けられ、粘着剤層２を保護する剥離ライナー３を有する証拠採取用シート１０と、証拠が採取された状態の証拠採取用シート１０において、粘着剤層２と剥離ライナー３との間に挟持して用いられるラベル４と、を備えるものである。
【００１６】
また、図１に示す未使用状態では、ラベル４は、保護シート５に貼着して設けられている。この未使用状態から、図２に示すように、剥離ライナー３を粘着剤層２から剥離し、粘着剤層２に証拠品２００（証拠）を付着させる。そして、図３に示すように、証拠品２００の情報をラベル４に記入し、ラベル４を保護シート５から離脱（分離）させる。次いで、図４に示すように、ラベル４を粘着剤層２に付着させ、剥離ライナー３を再度粘着剤層２に貼着して、ラベル４が粘着剤層２と剥離ライナー３との間に挟持された状態（以下、この状態を「保存状態」と言う）とする（図４参照）。なお、保存状態では、保護シート５は、基材１から剥離されて用いられる。
【００１７】
このような証拠採取保存用セット１００によれば、採取した証拠の情報が記入されたラベル４を粘着剤層２と剥離ライナー３との間に挟持した状態で保管することができる。これにより、ラベル４に記入した情報が摩擦などにより消えてしまったり、改竄されたりするのを防止することができる。よって、証拠品２００の情報を正確かつ確実に保存することができる。
【００１８】
なお、「証拠品（証拠）」としては、例えば、髪の毛、皮膚片、その他の微物、指紋、血液、血痕、足跡等が挙げられる。また、証拠品には、指紋等の証拠品を検出するための粉末や試薬類等も含まれる。当該粉末や試薬類の集合も証拠品に含まれ、該集合により形成された形状も、証拠品の形状として扱われてもよい。
【００１９】
また、本明細書中では、「紫外線」は、波長が２００ｎｍ以上４００ｎｍ以下程度の光のことを言い、「可視光」は、波長が４００ｎｍ以上７８０ｎｍ以下程度の光のことを言う。
【００２０】
＜基材＞
基材１は、粘着剤層２を支持する機能を有する部位である。
【００２１】
基材１は、有色、無色に関わらず、可視光透過性を有するものであるのが好ましい。これにより、基材１を介して、粘着剤層２と剥離ライナー３との間に挟持されたラベル４を視認することができる。よって、保存状態において、証拠品２００の情報を視認することができる。
【００２２】
基材１の構成材料としては、例えば、各種樹脂材料、各種金属材料、各種セラミックス材料、セルロース等の植物性材料、動物性たんぱく質（例えば、ケラチン等）等の動物性材料等が挙げられる。
【００２３】
基材１の構成材料としては、例えば、ポリエチレンテレフタレート、ポリブチレンテレフタレート、ポリエチレンナフタレート等のポリエステル；セルローストリアセテート、セルロースジアセテート等のアセテート；ポリエチレン、ポリプロピレン等のポリオレフィン等の樹脂材料が挙げられる。
【００２４】
また、基材１は、前述した以外の成分を含むものであってもよい。このような成分としては、例えば、染料、顔料等の着色剤、アニリド系、フェノール系等の酸化防止剤、改質剤、防錆剤、充填剤、表面潤滑剤、腐食防止剤、耐熱安定剤、滑剤、帯電防止剤、重合禁止剤、架橋剤、触媒、可塑剤、レベリング剤、増粘剤、軟化剤、分散剤等が挙げられる。
なお、基材１は、多孔質体や、複数の層を備える積層体であってもよい。
【００２５】
また、基材１は、例えば、厚さ方向に組成が傾斜的に変化する傾斜材料で構成されたものであってもよい。
【００２６】
また、基材１は、粘着剤層２との密着性を高めるための表面処理が施されたものであってもよい。
【００２７】
このような表面処理としては、例えば、ポリエステル系、ポリウレタン系、アクリル系等のプライマー塗布、コロナ処理等が挙げられる。
【００２８】
基材１の厚さは、特に限定されないが、１５μｍ以上５００μｍ以下であるのが好ましく、２０μｍ以上２００μｍ以下であるのがより好ましい。
【００２９】
＜粘着剤層＞
粘着剤層２を形成する粘着剤としては、アクリル系、ポリウレタン系、シリコーン系、合成ゴム系等が挙げられる。
【００３０】
これらの中でも、透明性が高く、長期の保存性に優れている点で、アクリル系が好ましい。
【００３１】
アクリル系粘着剤は、粘着性を付与するモノマー、凝集力を付与するモノマー及び架橋性官能基を有するモノマー等を成分とするポリマーが、架橋剤により架橋されているものが挙げられる。
【００３２】
粘着性を付与するモノマーとしては、エチルアクリレート、ブチルアクリレート、２−エチルヘキシルアクリレート、ラウリルメタクリレート等が挙げられる。
【００３３】
凝集力を付与するモノマーとしては、メチルアクリレート、メチルメタクリレート、スチレン、酢酸ビニル等が挙げられる。
【００３４】
架橋性官能基を有するモノマーとしては、２−ヒドロキシエチルアクリレート、２−ヒドロキシエチルメタクリレート、３−ヒドロキシプロピルメタクリレート等のヒドロキシル基を有するモノマー、アクリル酸等のカルボキシル基を有するモノマー等が挙げられる。
【００３５】
架橋剤としては、イソシアネート系架橋剤、エポキシ系架橋剤、金属キレート系架橋剤等が挙げられる。
【００３６】
イソシアネート系架橋剤としては、トリレンジイソシアネート、ヘキサメチレンジイソシアネート、イソホロンジイソシアネート、キシリレンジイソシアネート等のビウレット体、イソシアヌレート体、アダクト体等が挙げられる。
【００３７】
エポキシ系架橋剤としては、Ｎ，Ｎ，Ｎ’，Ｎ’−テトラグリシジル−ｍ−キシレンジアミンや１，３−ビス（Ｎ，Ｎ−ジグリシジルアミノメチル）シクロへキサン等が挙げられる。
【００３８】
金属キレート系架橋剤としては、アルミニウムトリスアセチルアセトナート、チタンテトラアセチルアセトナート等が挙げられる。
【００３９】
また、アクリル系粘着剤は、紫外線硬化性を有することにより、証拠保存中に粘着剤層が変形することが抑制され、証拠の保存性を高めることができる。
【００４０】
紫外線硬化性を有するアクリル系粘着剤としては、アクリル系粘着剤の側鎖に紫外線重合性基を有するもの、または、アクリル系粘着剤が紫外線重合性基を有する化合物を含有するもの、が挙げられる。
【００４１】
側鎖に紫外線重合性基を有するアクリル系粘着剤は、例えば、ヒドロキシル基を有するアクリル系粘着剤に、紫外線重合性基とイソシアネート基を有する化合物を付加する方法が挙げられる。
【００４２】
紫外線重合性基とイソシアネート基を有する化合物としては、２−アクリロイルオキシエチルイソシアネート、２−メタクリロイルオキシエチルイソシアネート等が挙げられる。
【００４３】
紫外線重合性化合物としては、紫外線重合性基を有するモノマー又はオリゴマーが挙げられる。
【００４４】
紫外線重合性基を有するモノマーとしては、トリメチロールプロパントリ（メタ）アクリレート、テトラメチロールメタンテトラ（メタ）アクリレート、ペンタエリスリトールトリ（メタ）アクリレート、ペンタエリストールテトラ（メタ）アクリレート、ジペンタエリストールモノヒドロキシペンタ（メタ）アクリレート、ジペンタエリスリトールヘキサ（メタ）アクリレート、１，４−ブタンジオールジ（メタ）アクリレート等が挙げられる。
【００４５】
紫外線重合性基を有するオリゴマーとしては、ウレタンアクリレート、ポリエステルアクリレート、エポキシアクリレート等が挙げられる。オリゴマーの重量平均分子量は、３０００〜３００００であることが好ましい。
【００４６】
紫外線硬化性を有するアクリル系粘着剤は、光重合開始剤を含有することが好ましい。
光重合開始剤としては、１−ヒドロキシシクロヘキシルフェニルケトン、２，２−ジメトキシ−１，２−ジフェニルエタン−１−オン、２−ヒドロキシ−２−メチル−１−フェニル−プロパン−１−オン、２−ヒドロキシ−１−{４−[４−（２−ヒドロキシ−２−メチル−プロピオニル）−ベンジル]フェニル}−２−メチル−プロパン−１−オン、２−メチル−１−（４−メチルチオフェニル）−２−モルフォリノプロパン−１−オン等のアルキルフェノン系、ビス（２，４，６−トリメチルベンゾイル）−フェニルフォスフィンオキサイド等のアシルフォスフィンオキサイド系等が挙げられる。
【００４７】
＜剥離ライナー＞
剥離ライナー３は、粘着剤層２から剥離可能なシート材であり、粘着剤層２を保護するものである。剥離ライナー３としては、フィルムまたは紙等が挙げられる。
【００４８】
フィルムとしてはポリエチレンテレフタレート、ポリプロピレン等が、紙としては、上質紙、クラフト紙、グラシン紙等が挙げられる。微細な証拠品を識別するためには、表面が平滑であるフィルムが好ましい。
【００４９】
剥離ライナー３は、粘着剤層２から剥離可能なように、シリコーン等が塗布されたものが好ましい。
【００５０】
剥離ライナー３の色は、証拠品２００を鮮明に判別することができるように、黒色であることが好ましい。透明なフィルムである場合には、シリコーンが塗布された面とは反対の面に、黒色の印刷をしてもよいし、黒色の紙を貼りあわせてもよい。
【００５１】
また、剥離ライナー３の厚みは、取り扱い性を考慮して、例えば５０μｍ以上、２５０μｍ以下であるのが好ましい。ここで、剥離ライナー３の厚みとしては、無作為に選出された１０箇所について測定された厚みの平均値とする。
【００５２】
＜保護シート＞
基材１の粘着剤層２とは反対の面側には、保護シート５が設けられている。保護シート５は、基材１を保護する機能を有する。
【００５３】
保護シート５は、保護シート基材５１と、粘着剤層５２とを有し、基材１側から粘着剤層５２および保護シート基材５１の順に積層された積層体で構成されている。
【００５４】
保護シート基材５１の構成材料としては、基材１と同様の材料を用いることができる。保護シート基材５１の厚さは、特に限定されないが、５μｍ以上３００μｍ以下であるのが好ましく、１０μｍ以上１００μｍ以下であるのがより好ましい。
【００５５】
粘着剤層５２の構成材料としては、粘着剤層２と同様の材料を用いることができる。粘着剤層５２の厚さは、特に限定されないが、５μｍ以上３００μｍ以下であるのが好ましく、１０μｍ以上１００μｍ以下であるのがより好ましい。
【００５６】
また、保護シート５は、紫外線吸収性を有しているのが好ましい。粘着剤層２を形成しする粘着剤が紫外線硬化性を有する場合、粘着剤層２が不本意に硬化するのを防止することができ、粘着剤層２の高い証拠採取性を維持することができる。
【００５７】
保護シート５に紫外線遮蔽性を付与する方法としては、例えば、保護シート基材５１および粘着剤層５２のうちの少なくとも一方に紫外線吸収剤を配合する方法等が挙げられる。
【００５８】
紫外線吸収剤としては、例えば、共役した不飽和結合を有する化合物、特に、芳香族化合物を好適に用いることができる。
これにより、紫外線の吸収効率をより優れたものとすることができる。
【００５９】
共役した不飽和結合を有する化合物としては、例えば、ベンゾフェノン系紫外線吸収剤、ベンゾトリアゾール系紫外線吸収剤、サリチル酸系紫外線吸収剤、シュウ酸アニリド系紫外線吸収剤、シアノアクリレート系紫外線吸収剤、トリアジン系紫外線吸収剤等が挙げられる。
【００６０】
ベンゾフェノン系紫外線吸収剤としては、例えば、２，４−ジヒドロキシベンゾフェノン、２−ヒドロキシ−４−メトキシベンゾフェノン、２−ヒドロキシ−４−オクトキシベンゾフェノン、２−ヒドロキシ−４−ドデシルオキシベンゾフェノン、２，２’−ジヒドロキシ−４−ジメトキシベンゾフェノン、２，２’−ジヒドロキシ−４，４’−ジメトキシベンゾフェノン、２−ヒドロキシ−４−メトキシ−５−スルホベンゾフェノン、［２−ヒドロキシ−４−（オクチルオキシ）フェニル］（フェニル）メタノン、ビス（２−メトキシ−４−ヒドロキシ−５−ベンゾイルフェニル）メタン等が挙げられる。
【００６１】
ベンゾトリアゾール系紫外線吸収剤としては、例えば、２−（２’−ヒドロキシ−５’−メチルフェニル）ベンゾトリアゾール、２−（２’−ヒドロキシ−５’−ｔｅｒｔ−ブチルフェニル）ベンゾトリアゾール、２−（２’−ヒドロキシ−３’，５’−ジ−ｔｅｒｔ−ブチルフェニル）ベンゾトリアゾール、２−（２’−ヒドロキシ−３’−ｔｅｒｔ−ブチル−５’−メチルフェニル）−５−クロロベンゾトリアゾール、２−（２’−ヒドロキシ−３’，５’−ジ−ｔｅｒｔ−ブチルフェニル）−５−クロロベンゾトリアゾール、２−（２’−ヒドロキシ−３’，５’−ジ−ｔｅｒｔ−アミルフェニル）ベンゾトリアゾール、２−（２’−ヒドロキシ−４’−オクトキシフェニル）ベンゾトリアゾール、２−［２’−ヒドロキシ−３’−（３’’，４’’，５’’，６’’，−テトラヒドロフタルイミドメチル）−５’−メチルフェニル］ベンゾトリアゾール、２，２’メチレンビス［４−（１，１，３，３−テトラメチルブチル）−６−（２Ｈ−ベンゾトリアゾール−２−イル）フェノール］、２−（２Ｈ−ベンゾトリアゾール−２−イル）−４−（１，１，３，３−テトラメチルブチル）フェノール、２，２’−メチレンビス［６−（２Ｈ−ベンゾトリアゾール−２−イル）−４−（１，１，３，３−テトラメチルブチル）フェノール］、２−（２Ｈ−ベンゾトリアゾール−２−イル）−ｐ−クレゾール、２−（５−クロロ−２Ｈ−ベンゾトリアゾール−２−イル）−６−ｔｅｒｔ−ブチル−４−メチルフェノール、［２（２’−ヒドロキシ−５’−メタアクリロキシフェニル）−２Ｈ−ベンゾトリアゾール等が挙げられる。
【００６２】
サリチル酸系紫外線吸収剤としては、例えば、フェニルサリシレート、ｐ−ｔｅｒｔ−ブチルフェニルサリシレート、ｐ−オクチルフェニルサリシレート等が挙げられる。
【００６３】
シアノアクリレート系紫外線吸収剤としては、例えば、２−エチルヘキシル−２−シアノ−３，３’−ジフェニルアクリレート、エチル−２−シアノ−３，３’−ジフェニルアクリレート等が挙げられる。
【００６４】
トリアジン系紫外線吸収剤としては、２，４−ビス（２−ヒドロキシ−４−ブトキシフェニル）−６−（２，４−ジブトキシフェニル）−１，３，５−トリアジン、２，４，６−トリス（２−ヒドロキシ−４−オクチルオキシフェニル）−１，３，５−トリアジン、２，４，６−トリス［２−ヒドロキシ−４−（３−ブトキシ−２−ヒドロキシプロピルオキシ）フェニル］−１，３，５−トリアジン、２，４，６−トリス（２−ヒドロキシ−４−ヘキシルオキシ−３−メチルフェニル）−１，３，５−トリアジン等が挙げられる。
【００６５】
また、紫外線吸収剤としては、例えば、チタニア等の無機材料を用いることができる。無機材料（特に、チタニア）は、化学的安定性等が特に優れており、より長期間にわたって、より安定的に紫外線を吸収する機能を発揮することができる。
【００６６】
粘着剤組成物中に含まれる紫外線吸収剤の含有率は、特に限定されないが、粘着剤１００質量部に対し、０．１質量部以上５質量部以下であるのが好ましく、０．３質量部以上３質量部以下であるのがより好ましい。
【００６７】
紫外線吸収剤の含有率が低すぎると、紫外線吸収剤の種類等によっては、前述したような紫外線吸収剤を含むことによる効果が十分に発揮されない可能性がある。また、紫外線吸収剤の含有率が高すぎると、粘着剤の含有率が相対的に低下し、粘着剤の機能が十分に発揮されない可能性がある。
【００６８】
また、保護シート５は、可視光透過性を有しているのが好ましい。これにより、証拠品２００を採取する際、保護シート５、基材１および粘着剤層２を介して、すなわち、証拠採取用シート１０越しに証拠品２００を視認しながら採取することができる。
【００６９】
保護シート５全体としての可視光の透過率は、７０％以上、９９％以下であるのが好ましく、８０％以上、９５％以下であるのがより好ましい。これにより、上記効果を確実に発揮することができる。可視光の透過率が低すぎると、基材１および粘着剤層２の透過率にもよるが、保護シート５を介して証拠品２００を視認しにくくなる傾向を示す。一方、可視光の透過率が高すぎると、保護シート基材５１および粘着剤層５２の構成材料の選定が困難になる傾向を示す。
【００７０】
＜ラベル＞
図１に示すように、ラベル４は、ラベル基材４１と、ラベル粘着剤層４２とを有している。ラベル４は、未使用状態では、ラベル粘着剤層４２側が、保護シート５の基材１とは反対の面側に貼着されている。すなわち、ラベル４は、証拠採取用シート１０に連結して設けられている。これにより、例えば、初期状態の証拠採取用シート１０を搬送したり保管したりする際に、ラベル４を紛失するのを防止することができる。また、未使用状態において、ラベル４が、保護シート５の表面に貼着されていることにより、ラベル４を粘着剤層２と剥離ライナー３との間で挟持した際にラベル４が平面視においてどこに位置するかを容易に想定することができる。これにより、粘着剤層２のどこの領域で証拠品２００を採取したら証拠品２００がラベル４によって隠れてしまうかを、未使用状態で容易に把握することができる。
【００７１】
また、ラベル４は、保護シート５から分離可能に構成され、証拠品２００の情報が記入された状態で、粘着剤層２と剥離ライナー３との間に挟持された保存状態で用いられる。このため、採取した証拠品２００の情報が記入されたラベル４を粘着剤層２と剥離ライナー３との間に挟持した状態で保管することができる。これにより、ラベル４に記入した情報が摩擦などにより消えてしまったり、改竄されたりするのを防止することができる。よって、証拠品２００の情報を正確かつ確実に保存することができる。
【００７２】
なお、ラベル４は、保存状態では、ラベル基材４１が基材１側に位置する向きで挟持される。これにより、保存状態において、基材１を介して、ラベル４に記入された情報を視認することができる。なお、証拠採取用シート１０では、保存状態では、保護シート５は、剥がされて分離した状態となっている。
【００７３】
ラベル基材４１の構成材料としては、基材１と同様の材料を用いることができるが、例えば、上質紙、コート紙、アート紙、キャストコート紙、熱転写紙、インクジェット用紙等の紙、ポリプロピレン、ポリエステル製の合成紙等であるのが好ましい。これにより、ラベル４に情報を記入する際に油性ペンや水性ペン等、いずれの筆記具を用いたとしても、記入し易くすることができるとともに、記入した情報を視認し易くすることができる。
【００７４】
また、ラベル基材４１は、白色であるのが好ましい。これにより、記入した情報の文字を視認し易くすることができる。
【００７５】
ラベル基材４１の厚さは、特に限定されないが、５μｍ以上３００μｍ以下であるのが好ましく、１０μｍ以上１００μｍ以下であるのがより好ましい。
【００７６】
ラベル粘着剤層４２の構成材料としては、アクリル系、ポリウレタン系、シリコーン系合成ゴム系等の粘着剤を用いることができる。
【００７７】
ラベル粘着剤層４２の厚さは、特に限定されないが、５μｍ以上３００μｍ以下であるのが好ましく、１０μｍ以上１００μｍ以下であるのがより好ましい。
【００７８】
また、図５に示すように、ラベル４には、証拠品２００の情報を記入するための記入欄４３が設けられており、記入欄４３の近傍には、文字４４が印刷されている。文字４４は、図示の構成では、一例として、図中上側から順に「ＮＯ．」、「日時」、「場所」、「事件名」、「鑑識人」、「立会人」および「所轄」の文字である。
【００７９】
「ＮＯ．」の横（図中右側）には、採取した証拠品２００に付された番号が記入される。「日時」の横（図中右側）には、証拠品２００を採取した際の日時が記入される。
【００８０】
「場所」の横（図中右側）には、証拠品２００を採取した場所が記入される。「事件名」の横（図中右側）には、証拠品２００が関連する事件名が記入される。
【００８１】
「鑑識人」の横（図中右側）には、鑑識人の名前が記入される。「立会人」の横（図中右側）には、立会人の名前が記入される。
【００８２】
「所轄」の横（図中右側）には、証拠品２００を採取した場所の管轄の所轄の名前が記入される。
【００８３】
このような文字４４が印刷されていることにより、証拠品２００の情報を記入し易くすることができる。なお、上記では、文字４４の一例として、「ＮＯ．」、「日時」、「場所」、「事件名」、「鑑識人」、「立会人」および「所轄」である場合について説明したが、これらの全部が印刷されていなくてもよく、異なる文字が印刷されていてもよい。
【００８４】
また、ラベル４は、本実施形態では、平面視で矩形をなしており、その面積は、１ｃｍ２以上１００ｃｍ２以下であるのが好ましく、３ｃｍ２以上８０ｃｍ２以下であるのがより好ましい。
【００８５】
また、ラベル４の面積は、基材１の平面視における面積の５％以上５０％以下であるのが好ましく、１０％以上５０％以下であるのがより好ましい。ラベル４の面積が大きすぎると、証拠採取用シート１０において、証拠を採取する部分の面積が小さくなる傾向を示す。一方、ラベル４の面積が小さすぎると、記入し難くなって、ラベル４としての機能十分に発揮するのが難しくなる可能性が有る。
【００８６】
また、ラベル４は、初期状態では、ラベル基材４１が証拠採取用シート１０の外表面に露出した状態となっている。これにより、ラベル４が保護シート５に貼着されたままラベル４に記入することができ、記入を容易に行うことができる。
【００８７】
また、図１に示す構成では、ラベル４は、初期状態において、保護シート５の縁部に偏在して設けられているが、本発明ではこれに限定されず、保護シート５の中央部に設けられていてもよい。
【００８８】
また、図１に示す構成では、ラベル基材４１の一方の面の全面にラベル粘着剤層４２が設けられているが、本発明ではこれに限定されず、ラベル基材４１には、一部、ラベル粘着剤層４２が設けられていてもよい。すなわち、ラベル基材４１は、一部が保護シート５に貼着されていない部分を有していてもよい。これにより、ラベル４を保護シート５から離脱させる際、貼着されていない部分を把持して、容易に離脱させることができる。
【００８９】
このように、証拠採取保存用セット１００では、基材１、粘着剤層２、剥離ライナー３、保護シート５およびラベル４がセットとなっており、ラベル４を別途用意するのを省略することができ、利便性が高い。また、初期状態では、ラベル４は、保護シート５に貼着（連結）された状態となっており、例えば、初期状態の証拠採取用シート１０を搬送したり保管したりする際に、ラベル４を紛失するのを防止することができる。
【００９０】
このような証拠採取保存用セット１００によれば、採取した証拠の情報が記入されたラベル４を粘着剤層２と剥離ライナー３との間に挟持した状態で保管することができる。これにより、ラベル４に記入した情報が摩擦などにより消えてしまったり、改竄されたりするのを防止することができる。よって、証拠品２００の情報を正確かつ確実に保存することができる。
【００９１】
＜第２実施形態＞
図６は、本発明の証拠採取保存用セットの第２実施形態を示す模式的な縦断面図であって、未使用状態を示す図である。
【００９２】
以下、この図を参照して本発明の証拠採取保存用セットの第２実施形態について説明するが、前述した実施形態との相違点を中心に説明し、同様の事項はその説明を省略する。
【００９３】
本実施形態は、初期状態におけるラベルの連結位置が異なること以外は、前記第１実施形態と同様である。
【００９４】
図６に示すように、本実施形態では、ラベル４は、基材１の側面に連結されている。また、ラベル４は、単層で構成され、基材１と同様の材料で構成されている。これにより、基材１を製造する際にラベル４も同時に製造することができる。
【００９５】
また、初期状態では、ラベル４と基材１との境界部に、易破断部が設けられているのが好ましい。これにより、ラベル４を基材１からちぎる（分離させる）際、容易にちぎることができる。
【００９６】
この易破断部は、例えば、ミシン目や、平面視での幅が小さい幅狭部等により構成することができる。
【００９７】
また、本実施形態では、ラベル４が基材１と一体的に連結されているため、ちぎった際、その痕を目視で確認することができる。これにより、ラベル４側のちぎった痕と、基材１側のちぎった痕の形状の対応性から、ラベル４が基材１に連結されていた証拠となり、ラベル４がその後にすり替えられたものではないことの証拠となる。よって、ラベル４に記入された情報が改竄されていない証拠となり、情報の信頼性をさらに高めることができる。
【００９８】
＜第３実施形態＞
図７は、本発明の証拠採取保存用セットの第３実施形態を示す模式的な縦断面図であって、未使用状態を示す図である。
【００９９】
以下、この図を参照して本発明の証拠採取保存用セットの第３実施形態について説明するが、前述した実施形態との相違点を中心に説明し、同様の事項はその説明を省略する。
【０１００】
本実施形態は、初期状態におけるラベルの連結位置が異なること以外は、前記第２実施形態と同様である。
【０１０１】
図７に示すように、本実施形態では、ラベル４は、剥離ライナー３に連結されている。また、ラベル４は、剥離ライナー３と同様の材料で構成されている。これにより、剥離ライナー３を製造する際にラベル４も同時に製造することができる。
【０１０２】
また、本実施形態では、ラベル４の図中下側の面に情報が記入され、保存状態では、ラベル基材４１側が基材１に接する状態で粘着剤層２と剥離ライナー３との間で挟持される（図示せず）。ラベル４の図中下側の面は、シリコーンの塗布などの処理がなされていない面であるため、筆記具を用いても記入し易い。
【０１０３】
以上、本発明の好適な実施形態について説明したが、本発明は、これらに限定されるものではない。
【０１０４】
例えば、証拠採取保存用セットは、基材と粘着剤層との間に、少なくとも１層の中間層を有するものであってもよい。例えば、粘着フィルムは、接着力増強層（プライマー層等）等を有するものであってもよい。
【０１０５】
なお、前記各実施形態では、粘着剤層は、紫外線硬化性を有するものであったが、本発明では、これに限定されず、紫外線硬化性を有していなくてもよい。この場合、保護シートは、紫外線遮蔽性を有していなくてもよい。また、保護シート自体が省略されていてもよい。
【０１０６】
また、粘着剤層は、粘着剤組成物自体が紫外線硬化性を有する場合について説明したが、粘着剤層の構成としては、粘着剤組成物と紫外線硬化性材料とを含む構成であってもよい。
【０１０７】
また、前記各実施形態では、ラベルを証拠採取用シートから一旦離脱させてから保存状態とする場合について説明したが、本発明ではこれに限定されず、第２実施形態の場合には、ラベルを基材層との境界部で折り曲げて（折り返して）挟持状態としてもよく、第３実施形態では、ラベルを剥離ライナーとの境界部で折り曲げて（折り返して）挟持状態としてもよい。
【０１０８】
また、ラベルは、初期状態では、剥離ライナーの主面に貼着されていてもよい。
また、ラベルは、初期状態では、証拠採取用シートに連結されていなくてもよい。
【符号の説明】
【０１０９】
１００      証拠採取保存用セット
１０        証拠採取用シート
１          基材
２          粘着剤層
３          剥離ライナー
４          ラベル
４１        ラベル基材
４２        ラベル粘着剤層
４３        記入欄
４４        文字
５          保護シート
５１        保護シート基材
５２        粘着剤層
２００      証拠品
【図１】
2018169279.tif 000003
【図２】
2018169279.tif 000004
【図３】
2018169279.tif 000005
【図４】
2018169279.tif 000006
【図５】
2018169279.tif 000007
【図６】
2018169279.tif 000008
【図７】
2018169279.tif 000009